(57)【要約】【課題】携帯情報端末において、携帯電話機に着信があったときに、その着信情報をスケジュール管理アプリケーション上で表示できるようにするとともに、取得した携帯電話機の着信履歴を管理して、個人情報の一元管理を図ることができるようにする。【解決手段】携帯電話機１に着信があったとき、その着信情報を携帯電話機１から無線通信手段を用いて携帯情報端末２へ取り込み、携帯情報端末２のスケジュール管理アプリケーション上で、着信履歴を表示するように構成する。【選択図】　　　図１
2004064401.tif 000002
【特許請求の範囲】
【請求項１】
携帯電話機に着信があったとき、その着信情報を携帯電話機から無線通信手段を用いて取り込み、スケジュール管理アプリケーション上で着信履歴を表示するように構成したことを特徴とする携帯情報端末。
【請求項２】
請求項１記載の携帯情報端末において、
前記着信情報を保存するとともに、入力されたデータやコマンドに応じて着信履歴を処理する着信履歴データ管理手段と、
前記着信情報から音声着信とメール着信との区別を解析する着信情報解析手段と、
前記着信情報から発信者番号を解析する発信者番号解析手段と、
あらかじめ電話番号を含む特定の相手先情報を登録しておくデータ記憶手段と、前記発信者電話番号解析手段で解析した発信者番号と前記データ記憶手段に登録しておいた電話番号とを照合する電話番号照合手段と、
前記着信情報解析手段で解析した音声着信とメール着信との区別と、前記発信者電話番号解析手段で解析した発信者電話番号と、前記電話番号照合手段の照合結果にもとづく前記データ記憶手段に登録しておいた相手先情報とをスケジュール管理アプリケーション上で表示する表示手段と、
を備えたことを特徴とする携帯情報端末。
【発明の詳細な説明】
【０００１】
【発明の属する技術分野】
本発明は、電話着信をスケジュール管理表へ自動的に表示する携帯情報端末の関するものである。
【０００２】
【従来の技術】
携帯電話機には、着信時にコーラ−ＩＤデータを受信して相手先の電話番号や名前の表示を行うとともに、その相手先情報を着信履歴として逐次保存する機能を備えたものが存在する。
【０００３】
また、最近は、電子手帳およびパーソナルコンピュータの機能を有し、どこにでも携行していつでも使用できる携帯情報端末（ＰＤＡ：Ｐｅｒｓｏｎｅｌ　Ｄｉｇｉｔａｌ　Ａｓｓｉｓｔａｎｃｅ）が手軽さと高性能化、機能の充実にともない普及してきている。この携帯情報端末は、液晶などの表示画面を有し、タッチペン式、あるいはキーボード入力手段を備え、スタンドアロンとして使用するとともに、リモートのデータベース、パーソナルコンピュータ、あるいは携帯電話機などへアクセスするための通信機能やインターネットアクセス機能も搭載されている。
【０００４】
【発明が解決しょうとする課題】
しかし、従来の携帯情報端末にあっては、携帯電話機の着信時に、逐次保存される着信履歴データを自動的に取得して、その着信履歴情報を有効に活用することができるような機能は備えていない。したがって、携帯電話機を使ったメールや打ち合わせの履歴が携帯情報端末のスケジュール管理表で直ちに確認することはできず、あらためて、携帯電話機によって着信履歴を確認する必要があり、個人情報の管理の一元化を図ることができないという問題点を有していた。
【０００５】
また、従来、携帯電話機に保存されている着信履歴を携帯情報端末へ保存するには、その都度、携帯電話機の保存されている着信履歴内容を確認しながら携帯情報端末のキーパッドなどを操作して、発信者側の情報を入力する必要があった。したがって、携帯情報端末を使用する者にとっては、非常に煩わしい作業であり、携帯電話機の着信情報を携帯情報端末へ自動的に取得することができる機能が強く望まれていた。
【０００６】
本発明は、従来の技術が有するこのような問題点に鑑みてなされたものであり、その目的とするところは、携帯電話機から得られる着信情報を携帯情報端末のデータベースと連携させることができ、携帯電話機に着信があったときに、その音声着信情報やメール着信情報を携帯情報端末のスケジュール管理アプリケーション上で表示して、個人情報を確認および管理ができる携帯情報端末を提供しようとするものである。
【０００７】
【課題を解決するための手段】
上記の目的を達成するために、本発明の携帯情報端末においては、携帯電話機に着信があったとき、その着信情報を携帯電話機から無線通信手段を用いて取り込み、スケジュール管理アプリケーション上で着信履歴を表示するように構成したものである。
【０００８】
また、本発明は、携帯情報端末において、
携帯電話機の着信情報を保存するとともに、入力されたデータやコマンドに応じて着信履歴を処理する着信履歴データ管理手段と、
携帯電話機の着信情報から音声着信とメール着信との区別を解析する着信情報解析手段と、
携帯電話機の着信情報から発信者番号を解析する発信者番号解析手段と、
あらかじめ電話番号を含む特定の相手先情報を登録しておくデータ記憶手段と、上記発信者電話番号解析手段で解析した発信者番号と、上記データ記憶手段に登録しておいた電話番号とを照合する電話番号照合手段と、
上記着信情報解析手段で解析した音声着信とメール着信との区別と、上記発信者電話番号解析手段で解析した発信者電話番号と、上記電話番号照合手段の照合結果にもとづく上記データ記憶手段に登録しておいた相手先情報とをスケジュール管理アプリケーション上で表示する表示手段と、
を備えることがより効果的な携帯情報端末を実現することができる。
【０００９】
【発明の実施の形態】
本発明の実施の形態を実施例にもとづき図面を参照して説明する。
図１は、本発明に係わる携帯情報端末へ携帯電話機の着信情報を無線通信手段を用いて取得するときの構成を示す説明図である。
図１において、１は携帯電話機であって、発信着呼や制御を行う電話部と、電話着信時に相手先の識別情報を取得する相手先識別部と、着信した日時、相手先情報とそれに対応するパスワードなどの着信情報を着信履歴として保存する着信履歴保存部と、各種の着信履歴情報や登録情報などを保存し、かつあらかじめ特定の相手先を登録しておくデータ記憶部とを有している。さらに、この携帯電話機１には、電話番号などのデータやコマンドを入力するための入力部と、この入力部より入力されたデータやコマンドに応じて着信履歴を処理する履歴データ管理部と、各種データなどを表示する表示部とを有している。
【００１０】
図１において、２は本発明に係わる携帯情報端末であって、携帯電話機１の着信情報を保存するとともに、入力されたデータやコマンドに応じて着信履歴を処理する着信履歴データ管理部と、携帯電話機１の着信情報から音声着信情報とメール着信情報との区別を解析する着信情報解析部と、携帯電話機１の着信情報から発信者電話番号を解析する電話番号解析手段と、あらかじめ電話番号を含む特定の相手先情報を登録しておくデータ記憶部と、発信者電話番号解析部で解析した発信者電話番号とデータ記憶部に登録しておいた電話番号とを照合する電話番号照合部とを有している。
【００１１】
さらに、この発明に係わる携帯情報端末２は、着信情報解析部で解析した音声着信とメール着信の区別の表示と、発信者電話番号解析部で解析した発信者電話番号の表示と、電話番号照合部の照合結果にもとづくデータ記憶部に登録しておいた相手先情報の表示とをスケジュール管理アプリケーション上で表示する表示部３とを有している。
【００１２】
４は無線通信手段を備えた無線通信モジュールで、携帯電話機１の外部共通インターフェース５へ接続するように構成されている。また、この無線通信モジュール４は、携帯情報端末２に備えた無線通信機能と無線接続することが可能で、電波がお互いに届く距離に配置される。したがって、携帯電話機１に着信があったときは、その着信情報を無線通信モジュール４を通じて携帯情報端末２へ送信し、携帯情報端末２のデータベースと連携させて、携帯電話機１の着信情報を携帯情報端末２のスケジュール管理アプリケーション上で表示させるとともに、着信履歴を保管する。
【００１３】
この結果、図１に例示したように、携帯情報端末２の表示部３には「２００２／０３／３１（ｓｕｎ）　１０：００　０９０−１２３４−５６７８　音声着信有り」や「１４：００　田中　正　メール着信有り」のように表示し、着信日時や曜日、相手先電話番号、あるいは氏名、音声着信かメール着信かの区別などを表示することで、スケジュール表上で着信履歴を確認することができ、同時に、着信履歴の保管、管理を行うことができる。
【００１４】
次に、図２の初期設定時のシーケンス図と、図３および図４の電話着信時のシーケンス図にもとづき、携帯電話機１から得られる着信情報を本発明に係わる携帯情報端末２のデータベースと連携させ、携帯情報端末２のスケジュール管理アプリケーション上で、携帯電話機１の着信履歴を表示する一連の動作について説明する。
【００１５】
まず、図２の初期設定時のシーケンスについて説明する。携帯電話機１と携帯情報端末２との初期設定は、携帯電話機１と携帯情報端末２とを互いに電波の届く位置に配置し、携帯電話機１から無線通信モジュール４を通じて携帯情報端末２へ接続要求を行い、携帯情報端末２は、携帯電話機１に対して応答を行う。次に、携帯電話機１は、接続相手の確認のために、携帯情報端末２に対して、電話番号の要求を行う。この要求に対して携帯情報端末２は、携帯情報端末２内にあらかじめ登録されている通信に使用する携帯電話機の電話番号を携帯電話１側へ送信する。携帯電話機１は、送られてきた電話番号の照合を行い、正しい相手かどうかの確認を行う。照合の結果、一致した場合は、携帯電話機１は、固有のＫｅｙを発生して携帯情報端末２へ送付する。この固有のＫｅｙと電話番号とによって、互いに共通するＩＤを取得し、初期設定を終了する。以降、携帯電話機１と携帯情報端末２との間の通信は、「電話番号＋固有Ｋｅｙ」で発生する共通のＩＤにもとづき実行される。
【００１６】
次に、図３および図４の電話着信時のシーケンス図について説明する。まず、図３において、携帯電話機１に電話着信があるときは、携帯電話機１で着信時の着信データを取得するとともに、無線通信モジュール４を通じて携帯情報端末２へ着信データを転送する。着信データを取得した携帯情報端末２は、携帯電話機１へ受信したことを通知するとともに、図４のシーケンスを開始する。
【００１７】
図４において、着信データを取得した携帯情報端末２は、着信データの解析を行い、その着信データが音声着信かメール着信かの区別を解析する。解析の結果、メール着信の場合は、発信者の電話番号を解析し、その解析結果と電話帳データとを照合する。照合の結果、電話帳データと一致すると、表示画面（Ａ）で示すように、「２００２／０３／３１（ｓｕｎ）　１０：００　田中　正　メール着信有り」と着信日時および曜日、発信者の氏名、メール着信があったことなどの着信履歴を表示する。
【００１８】
一方、音声着信の場合は、メール着信の場合と同様に、発信者電話番号の解析を行い、その結果と電話帳データとを照合する。照合の結果、電話帳データに該当する電話番号がない場合は、表示画面（Ｂ）で示すように、「２００２／０３／３１（ｓｕｎ）　１０：００　０９０−１２３４−５６７８　音声着信有り」と着信日時および曜日、発信者の電話番号、音声着信であったことなどの着信履歴を表示する。
【００１９】
また、図３に示すように、携帯電話機１がユーザーによりオフフックされたときは、携帯電話機１から携帯情報端末２へデータが転送され、携帯情報端末２から携帯電話機１へ受信応答するとともに、図４の携帯情報端末２の表示画面（Ｃ）で示すように、「２００２／０３／３１（ｓｕｎ）　１０：００　０９０−１２３４−５６７８　音声着信応答」と着信日時および曜日、相手方の電話番号、着信応答済みであることなどの着信履歴を表示する。このように、携帯情報端末２のスケジュール表上で着信履歴を確認することができ、個人情報の一元化を図ることができる。
【００２０】
なお、図１の実施の形態においては、無線通信モジュール４を携帯電話機１へ装着することで、携帯情報端末２との無線通信手段を構成しているが、携帯電話機１の本体内に無線通信ユニットを搭載しても同様の効果を得ることができる。また、携帯情報端末２においても、携帯電話機１内に保有する電話帳データを外部共通インターフェース５および無線通信手段を通じて携帯情報端末２へ取り込むことによって、取得した電話番号と電話帳データとを照合することにより、発信者を特定し、電話番号だけではなく、電話番号に合致する発信者のデータを表示することが可能となる。
【００２１】
【発明の効果】
本発明は、以上説明したように構成されているので、携帯電話機から得られる着信情報を携帯情報端末のデータベースと連携させることが可能となる。したがって、携帯電話機に着信があったとき、その音声着信情報やメール着信情報を携帯情報端末のスケジュール管理アプリケーション上で表示して着信履歴の確認を行うことができるとともに、個人情報の一元化を図ることができる。
【図面の簡単な説明】
【図１】本発明に係わる携帯情報端末へ携帯電話機の着信情報を無線通信手段を用いて取得する構成の一実施の形態を示す説明図である。
【図２】本発明に係わる携帯情報端末と携帯電話機の初期設定時のシーケンス図である。
【図３】本発明に係わる携帯情報端末の電話着信時のシーケンス図である。
【図４】図３の電話着信時のシーケンスにおける携帯情報端末側の受信応答シーケンス図である。
【符号の説明】
１　　携帯電話機
２　　携帯情報端末
３　　表示部
４　　無線通信モジュール
５　　外部共通インターフェース
【図１】
2004064401.tif 000003
【図２】
2004064401.tif 000004
【図３】
2004064401.tif 000005
【図４】
2004064401.tif 000006